(57)【要約】【課題】利用者にとって操作し易い画像出力サービス案内画面を表示することが可能な画像出力受付端末等を提供する。【解決手段】画像出力受付端末は、タッチパネル付ディスプレイにメディア選択画面を表示する。メディア選択画面には、利用する入力メディアを選択するためのメディア表示エリア８１が表示されている。このメディア表示エリア８１には、「メディアＡ」、「メディアＢ」、・・・「メディアＨ」の８種類の入力メディアの選択ボタンが表示されており、選択中の「メディアＨ」選択ボタン８２が強調表示（表示領域が大きく）されている。これらの選択ボタンは、入力メディアの概観を表わす画像および名称を含んでいる。【選択図】図７
2012058804.tif 000002
【特許請求の範囲】
【請求項１】
記憶媒体、携帯端末、あるいはネットワークを介して接続された外部装置に記憶されている画像データの印刷を受け付ける画像出力受付端末において、
前記記憶媒体、前記携帯端末、および前記外部装置をそれぞれ識別することが可能なオブジェクトの表示を制御する第１の表示制御手段と、
前記第１の表示制御手段により表示が制御されている複数の前記オブジェクトのうち、利用者の指示に応じて選択された所定のオブジェクトを強調表示するように制御する第２の表示制御手段と
を備えることを特徴とする画像出力受付端末。
【請求項２】
複数の前記オブジェクトは、前記記憶媒体、前記携帯端末、および前記外部装置の概観をそれぞれ表わす画像である
ことを特徴とする請求項１に記載の画像出力受付端末。
【請求項３】
複数の前記オブジェクトは、前記記憶媒体、前記携帯端末、および前記外部装置の名称をそれぞれ含む
ことを特徴とする請求項１または請求項２に記載の画像出力受付端末。
【請求項４】
前記第１の制御手段は、複数の前記オブジェクトを所定の順序にて整列させて表示する
ことを特徴とする請求項１乃至請求項３のいずれかに記載の画像出力受付端末。
【請求項５】
前記第２の表示制御手段は、選択された前記所定のオブジェクトの表示領域を大きくするように制御する
ことを特徴とする請求項１乃至請求項４のいずれかに記載の画像出力受付端末。
【請求項６】
前記第２の表示制御手段は、選択された前記所定のオブジェクトの表示領域を大きくし、かつ、複数の前記オブジェクトの中心となるように配置し、選択された前記所定のオブジェクト以外の他のオブジェクトの表示領域を小さくするように制御する
ことを特徴とする請求項１乃至請求項４のいずれかに記載の画像出力受付端末。
【請求項７】
前記第２の表示制御手段は、選択された前記所定のオブジェクトのコントラストを高くし、選択された前記所定のオブジェクト以外の他のオブジェクトのコントラストを低くする
ことを特徴とする請求項１乃至請求項４のいずれかに記載の画像出力受付端末。
【請求項８】
前記第２の表示制御手段により強調表示された前記所定のオブジェクトが利用者の指示に応じて選択された場合、前記記憶媒体、前記携帯端末、または前記外部装置に応じた画像出力サービス案内画面を表示する
ことを特徴とする請求項１乃至請求項７のいずれかに記載の画像出力受付端末。
【請求項９】
記憶媒体、携帯端末、あるいはネットワークを介して接続された外部装置に記憶されている画像データの印刷を受け付ける画像出力受付端末の画像出力受付方法において、
前記記憶媒体、前記携帯端末、および前記外部装置をそれぞれ識別することが可能なオブジェクトの表示を制御する第１の表示制御ステップと、
前記第１の表示制御ステップで表示が制御された複数の前記オブジェクトのうち、利用者の指示に応じて選択された所定のオブジェクトを強調表示するように制御する第２の表示制御ステップと
を含むことを特徴とする画像出力受付方法。
【請求項１０】
記憶媒体、携帯端末、あるいはネットワークを介して接続された外部装置に記憶されている画像データの印刷を受け付けるコンピュータにより読み取り可能な形式で記述されたプログラムであって、
前記記憶媒体、前記携帯端末、および前記外部装置をそれぞれ識別することが可能なオブジェクトの表示を制御する第１の表示制御ステップと、
前記第１の表示制御ステップで表示が制御された複数の前記オブジェクトのうち、利用者の指示に応じて選択された所定のオブジェクトを強調表示するように制御する第２の表示制御ステップと
を含む処理をコンピュータに実行させるためのプログラム。
【発明の詳細な説明】
【技術分野】
【０００１】
本発明は、利用者が所有する記憶媒体や携帯端末などに記憶されている画像データの印刷を受け付ける画像出力受付端末に関し、特に、利用者にとって操作し易い画像出力サービス案内画面を表示することが可能な画像出力受付端末等に関するものである。
【背景技術】
【０００２】
近年、利用者が所有する記憶媒体に記憶されている画像データの印刷を行う画像プリントシステムが広く普及している。利用者は、画像プリントシステムの画像出力受付端末を操作することにより、デジタルカメラ等で撮影した画像を印刷することができる。
【０００３】
利用者に提供される画像出力サービス案内画面は、各社で異なるが、例えば、特許文献１には、タッチパネル式の画像出力サービス案内画面が提案されている。
【先行技術文献】
【特許文献】
【０００４】
【特許文献１】特開２００５−１０２２０８号公報
【発明の概要】
【発明が解決しようとする課題】
【０００５】
ところで、利用者は、画像出力受付端末を操作する際、所有する記憶媒体を、正しい挿入口に、正しい方向で挿入する必要がある。しかしながら、現在普及している記憶媒体の種類が豊富であるため、利用者は、多くの挿入口の中から、所望の挿入口を見つけ、かつ、正しい方向で挿入しなければならず、操作に手惑うという課題があった。
【０００６】
本発明は、前述した問題点に鑑みてなされたもので、その目的とすることは、利用者にとって操作し易い画像出力サービス案内画面を表示することが可能な画像出力受付端末および方法、並びに、そのプログラムである。
【課題を解決するための手段】
【０００７】
前述した目的を達成するために、第１の発明は、記憶媒体、携帯端末、あるいはネットワークを介して接続された外部装置に記憶されている画像データの印刷を受け付ける画像出力受付端末において、前記記憶媒体、前記携帯端末、および前記外部装置をそれぞれ識別することが可能なオブジェクトの表示を制御する第１の表示制御手段と、前記第１の表示制御手段により表示が制御されている複数の前記オブジェクトのうち、利用者の指示に応じて選択された所定のオブジェクトを強調表示するように制御する第２の表示制御手段とを備えることを特徴とする画像出力受付端末である。第１の発明によって、利用者にとって操作し易い画像出力サービス案内画面を表示することができる。
【０００８】
複数の前記オブジェクトは、前記記憶媒体、前記携帯端末、および前記外部装置の概観をそれぞれ表わす画像である。
これにより、記憶媒体、携帯端末、および外部装置の本体のイメージに近いオブジェクトを表示することができる。
【０００９】
複数の前記オブジェクトは、前記記憶媒体、前記携帯端末、および前記外部装置の名称をそれぞれ含む。
これにより、より視認性を向上させたオブジェクトを表示することができる。
【００１０】
前記第１の制御手段は、複数の前記オブジェクトを所定の順序にて整列させて表示する。
これにより、利用者にとって操作し易い画像出力サービス案内画面を表示することができる。
【００１１】
前記第２の表示制御手段は、選択された前記所定のオブジェクトの表示領域を大きくするように制御する。
これにより、利用者が選択したオブジェクトの視認性を向上させることができる。
【００１２】
前記第２の表示制御手段は、選択された前記所定のオブジェクトの表示領域を大きくし、かつ、複数の前記オブジェクトの中心となるように配置し、選択された前記所定のオブジェクト以外の他のオブジェクトの表示領域を小さくするように制御する。
これにより、利用者が選択したオブジェクトの視認性を向上させることができる。
【００１３】
前記第２の表示制御手段は、選択された前記所定のオブジェクトのコントラストを高くし、選択された前記所定のオブジェクト以外の他のオブジェクトのコントラストを低くする。
これにより、利用者が選択したオブジェクトの視認性を向上させることができる。
【００１４】
前記第２の表示制御手段により強調表示された前記所定のオブジェクトが利用者の指示に応じて選択された場合、前記記憶媒体、前記携帯端末、または前記外部装置に応じた画像出力サービス案内画面を表示する。
これにより、利用者にとって操作し易い画像出力サービス案内画面を表示することができる。
【００１５】
第２の発明は、記憶媒体、携帯端末、あるいはネットワークを介して接続された外部装置に記憶されている画像データの印刷を受け付ける画像出力受付端末の画像出力受付方法において、前記記憶媒体、前記携帯端末、および前記外部装置をそれぞれ識別することが可能なオブジェクトの表示を制御する第１の表示制御ステップと、前記第１の表示制御ステップで表示が制御された複数の前記オブジェクトのうち、利用者の指示に応じて選択された所定のオブジェクトを強調表示するように制御する第２の表示制御ステップとを含むことを特徴とする画像出力受付方法である。
【００１６】
第３の発明は、記憶媒体、携帯端末、あるいはネットワークを介して接続された外部装置に記憶されている画像データの印刷を受け付けるコンピュータにより読み取り可能な形式で記述されたプログラムであって、前記記憶媒体、前記携帯端末、および前記外部装置をそれぞれ識別することが可能なオブジェクトの表示を制御する第１の表示制御ステップと、前記第１の表示制御ステップで表示が制御された複数の前記オブジェクトのうち、利用者の指示に応じて選択された所定のオブジェクトを強調表示するように制御する第２の表示制御ステップとを含む処理をコンピュータに実行させるためのプログラムである。
【発明の効果】
【００１７】
本発明により、利用者にとって操作し易い画像出力サービス案内画面を表示することが可能な画像出力受付端末および方法、並びに、そのプログラムを提供することができる。
【図面の簡単な説明】
【００１８】
【図１】本発明の実施の形態に係る画像出力受付端末の外観斜視図である。
【図２】画像出力受付端末のハードウエアの構成例を示すブロック図である。
【図３】画像出力受付端末の処理を説明するフローチャートである。
【図４】図３に続くフローチャートである。
【図５】待ち受け画面の表示例を示す図である。
【図６】入力方法選択画面の表示例を示す図である。
【図７】メディア選択画面の表示例を示す図である。
【図８】同意画面の表示例を示す図である。
【図９】メディアの挿入ガイダンス画面の表示例を示す図である。
【図１０】サービス選択画面の表示例を示す図である。
【図１１】メディア選択画面の他の表示例を示す図である。
【図１２】メディアの挿入ガイダンス画面の他の表示例を示す図である。
【発明を実施するための形態】
【００１９】
以下、図面に基づいて、本発明の実施形態を詳細に説明する。
【００２０】
図１は、本発明の実施の形態に係る画像出力受付端末１の外観斜視図である。
【００２１】
画像出力受付端末１は、店頭において、入力メディア（記憶媒体）や携帯端末に記憶されている画像データの印刷を受け付け、印刷を行う端末である。画像出力受付端末１は、予め画像データが記憶された入力メディアや携帯端末（いずれも不図示）から画像データを取得し、内部に保持する。
【００２２】
入力メディアは、例えば、DVD-ROM／CD-ROM／CD-R／CD-RW、コンパクトフラッシュ（登録商標）、SD（Secure Digital）カード、ミニSDカード、マイクロSDカード、xD−ピクチャーカード、Smart Media（登録商標）、MEMORY STICK（登録商標）、USB（Universal Serial Bus）メモリ等である。
【００２３】
携帯端末は、例えば、スマートフォン、iPhone（登録商標）、カメラ付き携帯電話機、ipad（登録商標）、携帯型パーソナルコンピュータ等である。
【００２４】
画像出力受付端末１の上部正面には、タッチパネル付ディスプレイ１１が配置されている。タッチパネル付ディスプレイ１１は、操作の案内、操作の状況、読み込んだ画像データ等を表示するとともに、利用者からの指示を受け付ける。利用者は、タッチパネル付ディスプレイ１１を介して、印刷注文する画像データの選択、画像データの画像処理の指示等を行う。
【００２５】
タッチパネル付ディスプレイ１１の下部には、メディア投入口１２および通信口１３が設けられている。メディア投入口１２は、各メディアの挿入口であり、複数の挿入口が１箇所にまとめて配置されている。通信口１３は、各携帯端末と通信を行うための通信ポートであり、複数の通信ポート（赤外線ポートやUSB（Universal Serial Bus）ポートなど）が１箇所にまとめて配置されている。
【００２６】
画像出力受付端末１の下段部の前面板１４には、レシート取出口１５、硬貨投入口１６および紙幣挿入口１７のような料金投入口、つり銭返却口１８、プリント物取出口１９、ドア開閉キー２０、メンテナンスキー２１等が設けられている。
【００２７】
レシート取出口１５、硬貨投入口１６、紙幣挿入口１７、つり銭返却口１８は、利用者によるプリント物の注文内容に応じた入金を要求する課金手段として機能する。利用者は、硬貨投入口１６に硬貨を投入したり、紙幣挿入口１７に紙幣を挿入したりすることにより、プリント物の料金を支払う。つり銭がある場合には、つり銭返却口１８から放出される。また、料金徴収後、徴収金額や注文内容等が印刷されたレシートがレシート取出口１５から放出される。
【００２８】
プリント物取出口１９には、画像出力受付端末１の筐体内に設置される複数のプリンタにより印刷されたプリント物が排出される。ドア開閉キー２０は、画像出力受付端末１の前面板１４を開閉するためのキーである。メンテナンスキー２１は、利用者が画像出力受付端末１を利用可能な運転モードと、管理者が画像出力受付端末１のメンテナンスや設定、レシートの再印刷等を行う管理モードを切り替えるためのキーである。
【００２９】
次に、画像出力受付端末１の基本的動作について説明する。
【００３０】
画像出力受付端末１は、入力メディアから読み込んだ画像データを液晶ディスプレイ等のタッチパネル付ディスプレイ１１に表示する。利用者は、タッチパネル付ディスプレイ１１に設けられたタッチパネルにより、入力メディアや携帯端末等から読み込んだ画像の中から印刷注文する画像を選択し、印刷の実行を指示すると、画像出力受付端末１内のコンピュータが複数の内部プリンタに画像データを転送する。
【００３１】
画像出力受付端末１は、利用者にプリント物の印刷注文に応じた料金を算出、表示し、必要に応じてレシートプリンタによりレシート（引換券）を発行し、利用者に支払いを要求する。画像出力受付端末１は、課金手段により利用者の入金が完了すると、印刷データの印刷を開始する。印刷されたプリント物は、プリント物取出口１９から排出され、利用者に提供される。
【００３２】
なお、画像出力受付端末１は、料金算出、レシート（引換券）の発行を行うだけでなく、課金機を装備しているため、利用者に入金を要求して現金による課金処理を行うようにすることもできる。
【００３３】
図２は、画像出力受付端末１のハードウエアの構成例を示すブロック図である。
【００３４】
コンピュータ３０は、制御部３１、記憶部３２、入出力部３３、通信部３４等から構成され、各種メディア読取部４１、通信部４２、モニタ４３、コインメック４４、ビルバリ４５、レシートジャーナル処理部４６、および複数のプリンタ４７を制御する。
【００３５】
制御部３１は、プログラムの実行を行うCPU（Central processing Unit）と、プログラム命令あるいはデータ等を格納するためのRAM（Random Access Memory）、ROM（Read Only Memory）等で構成される。制御部３１は、記憶部３２等に格納されたプログラムに従って、バス３５を介して接続された各装置を制御する。
【００３６】
記憶部３２には、制御部３１が実行するプログラム、プログラム実行に必要なデータ、OS（Operating System）等が格納される。プログラムは、例えば、画像入力プログラム、課金処理プログラム、レシート印刷処理プログラム、保守プログラム等である。データは、例えば、画像データや印刷データ等である。
【００３７】
プログラムのコードは、制御部３１により必要に応じて読み出され、RAMに移され、CPUに読み出されて各種機能として実行される。
【００３８】
入出力部３３は、記憶部３２に格納されているプログラム等の更新や、画像出力受付端末１の設定等を行うメンテナンス時に用いられる。
【００３９】
通信部３４は、通信制御装置、通信ポート等を有し、画像出力受付端末１と図示せぬネットワーク間の通信を媒介する通信インターフェースである。通信部３４は、ネットワークを介して画像出力受付端末１と他の外部装置（例えば、後述するオンラインサイト）間の通信制御を行う。
【００４０】
各種メディア読取部４１は、メディア投入口１２の各メディアの挿入口に対応して画像出力受付端末１内部に設けられ、挿入された入力メディアに予め記憶されている画像データを読み込む。通信部４２は、通信口１３の各通信ポートに対応して設置されており、通信中の携帯端末に予め記憶されている画像データを読み込む。
【００４１】
モニタ４３は、タッチパネル付ディスプレイ１１である。
【００４２】
コインメック４４、ビルバリ４５、レシートジャーナル処理部４６は、課金機能の役割を果たす。コインメック４４は、硬貨投入口１６に対応して画像出力受付端末１内部に設けられ、硬貨の入出力を管理する。ビルバリ４５は、紙幣挿入口１７に対応して画像出力受付端末１内部に設けられ、紙幣の入出力を管理する。
【００４３】
レシートジャーナル処理部４６は、レシート取出口１５に対応して画像出力受付端末１内部に設けられ、利用者の徴収金額や注文内容に応じたレシートを印刷する。
【００４４】
複数のプリンタ４７は、プリント物取出口１９に対応して画像出力受付端末１内部に設けられ、プリント物を印刷する。複数のプリンタ４７は、画像データを印刷する高解像度カラープリンタであり、熱転写プリンタあるいはインクジェット型など、プリンタの方式は特に問わない。
【００４５】
なお、複数のプリンタ４７は、画像出力受付端末１内部に設けられ、そこで印刷が行われるが、これに限らず、例えば、通信部３４およびネットワークを介して接続されたプリンタサーバに画像データを転送し、そこで印刷を行わせることも勿論可能である。
【００４６】
次に、図３および図４のフローチャートを参照して、画像出力受付端末１の処理について説明する。この処理は、画像出力受付端末１が起動中、常に実行されているものである。なお、画像出力受付端末１の起動中に表示される各画面を総称して、本発明では「画像出力サービス案内画面」と呼ぶ。
【００４７】
ステップＳ１において、画像出力受付端末１の制御部３１は、タッチパネル付ディスプレイ１１に待ち受け画面を表示する。
【００４８】
図５は、待ち受け画面の表示例を示す図である。図５に示すように、待ち受け画面には、画像出力受付端末１の概観を表わす画像、および、利用者が利用可能な入力メディアや携帯端末の概観を表わす画像が表示されている。利用者は、待ち受け画面において、「スタート」ボタン６１を押下すると、画像出力サービス案内画面へと進むことができる。
【００４９】
図３の説明に戻る。ステップＳ２において、画像出力受付端末１の制御部３１は、利用者により、図５に示した待ち受け画面で「スタート」ボタン６１が押下されたか否かを判定し、「スタート」ボタン６１が押下されるまで待機する。そして、ステップＳ２において、画像出力受付端末１の制御部３１は、「スタート」ボタン６１が押下されたと判定した場合、ステップＳ３に進み、タッチパネル付ディスプレイ１１に入力方法選択画面を表示する。
【００５０】
図６は、入力方法選択画面の表示例を示す図である。図６に示すように、入力方法選択画面には、画像の入力方法を選択するための選択ボタンとして、「デジタルメディア」選択ボタン７１、「オンラインサイト」選択ボタン７２、「赤外線」選択ボタン７３、「携帯端末」選択ボタン７４、および「Bluetooth（登録商標）」選択ボタン７５が一覧表示されている。これらの選択ボタンは、入力メディアや携帯端末などの概観を表わす画像およびそれらの名称を含んでおり、本発明では、総称して「オブジェクト」とも呼ぶ。
【００５１】
また、入力方法選択画面には、前画面に戻ることが可能な「戻る」ボタン７６、および、つり銭切れを視覚的に確認することが可能な画像も表示されている。
【００５２】
利用者は、図６に示す入力方法選択画面において、利用する入力方法の選択ボタンを押下すると、次の画像出力サービス案内画面へと進むことができる。また利用者は、「戻る」ボタン７６を押下すると、図５に示した待ち受け画面に戻ることができる。
【００５３】
図３の説明に戻る。ステップＳ４において、画像出力受付端末１の制御部３１は、利用者により、図６に示した入力方法選択画面で「デジタルメディア」選択ボタン７１が選択（押下）されたか否かを判定し、「デジタルメディア」選択ボタン７１が選択されたと判定した場合、ステップＳ５に進み、タッチパネル付ディスプレイ１１にメディア選択画面を表示する。
【００５４】
図７は、メディア選択画面の表示例を示す図である。図７に示すように、メディア選択画面には、利用する入力メディアを選択するためのメディア表示エリア８１が表示されている。このメディア表示エリア８１には、「メディアＡ」、「メディアＢ」、・・・「メディアＨ」の８種類の入力メディアの選択ボタンが表示されており、選択中の「メディアＨ」選択ボタン８２が強調表示（表示領域が大きく）されている。これらの選択ボタンは、入力メディアの概観を表わす画像および名称を含んでおり、上述したように、本発明では、「オブジェクト」と呼ぶ。選択ボタンの表示順序は、例えば、名称順、あるいは利用頻度の高い順である。
【００５５】
また、メディア選択画面には、選択ボタンを選択するためのスクロールボタン８３Ｒ、８３Ｌ、および、選択を決定するための「決定」ボタン８４、注文をキャンセルすることが可能な「注文をやめる」ボタン８５も表示されている。
【００５６】
利用者は、図７に示すメディア選択画面において、利用する入力メディアの選択ボタンを、スクロールボタン８３Ｒ、８３Ｌを用いて選択し、「決定」ボタン８４を押下することで、次の画像出力サービス案内画面へと進むことができる。また利用者は、「注文をやめる」ボタン８５を押下すると、図５に示した待ち受け画面に戻ることができる。
【００５７】
図３の説明に戻る。ステップＳ６において、画像出力受付端末１の制御部３１は、利用者により、図７に示したメディア選択画面で所定のメディアに対応する選択ボタンが選択されたか否かを判定し、所定のメディアに対応する選択ボタンが選択されていないと判定した場合、ステップＳ７に進む。
【００５８】
ステップＳ７において、画像出力受付端末１の制御部３１は、利用者によりキャンセルされたか否か、すなわち、図７に示したメディア選択画面で「注文をやめる」ボタン８５が押下されたか否かを判定し、キャンセルされていないと判定した場合、ステップＳ６に戻る。一方、画像出力受付端末１の制御部３１は、利用者により「注文をやめる」ボタン８５が押下されたと判定した場合、ステップＳ１に戻り、図５に示した待ち受け画面を再び表示する。
【００５９】
ステップＳ６において、画像出力受付端末１の制御部３１は、所定のメディアに対応する選択ボタンが選択されたと判定した場合、ステップＳ８に進み、タッチパネル付ディスプレイ１１に同意画面を表示する。
【００６０】
図８は、同意画面の表示例を示す図である。図８に示すように、同意画面には、画像出力サービスを受けるにあたっての注意事項が、図６に示した入力方法選択画面で選択された入力方法に応じた内容で表示されている。また、同意画面には、注意事項に同意するための（画像出力サービスを受けるための）「同意する」ボタン９１、注意事項に同意できない場合の「同意しない」ボタン９２、注文をキャンセルすることが可能な「注文キャンセル」ボタン９３も表示されている。
【００６１】
利用者は、図８に示す同意画面において、注意事項に同意する場合には、「同意する」ボタン９１を押下することで、次の画像出力サービス案内画面へと進むことができる。また利用者は、注意事項に同意することができない場合には、「同意しない」ボタン９２を押下することで、図５に示した待ち受け画面に戻ることができる。さらに利用者は、「注文キャンセル」ボタン９３を押下した場合にも図５に示した待ち受け画面に戻ることができる。尚、「同意しない」ボタン９２を押下した場合には、図６に示した入力方法選択画面に戻るように構成しても良い。
【００６２】
図３の説明に戻る。ステップＳ９において、画像出力受付端末１の制御部３１は、利用者により、図８に示した同意画面で「同意する」ボタン９１が押下されたか否かを判定し、「同意する」ボタン９１が押下されていないと判定した場合、ステップＳ１０に進む。
【００６３】
ステップＳ１０において、画像出力受付端末１の制御部３１は、利用者によりキャンセルされたか否か、すなわち、図８に示した同意画面で「同意しない」ボタン９２または「注文キャンセル」ボタン９３が押下されたか否かを判定し、キャンセルされていないと判定した場合、ステップＳ９に戻る。一方、画像出力受付端末１の制御部３１は、利用者によりキャンセルされたと判定した場合、ステップＳ１に戻り、図５に示した待ち受け画面を再び表示する。
【００６４】
ステップＳ９において、画像出力受付端末１の制御部３１は、「同意する」ボタン９１が押下されたと判定した場合、ステップＳ１１に進み、タッチパネル付ディスプレイ１１に選択されたメディアの挿入ガイダンス画面を表示する。
【００６５】
図９は、メディアの挿入ガイダンス画面の表示例を示す図である。図９に示すように、メディアの挿入ガイダンス画面には、画像出力受付端末１のメディア投入口１２の概観を表わす画像が表示され、その画像上に入力メディアの挿入を誘導するための矢印が重畳表示されている。また、入力メディアの挿入方向を視覚的に確認することが可能な画像も表示されている。
【００６６】
さらに、メディアの挿入ガイダンス画面には、入力メディアを正しい挿入口および正しい方向に挿入した後で選択するための「ＯＫ」ボタン１０１、印刷をやめる（注文をやめる）ことが可能な「プリントをやめる」ボタン１０２、前の画面に戻ることが可能な「前の画面に戻る」ボタン１０３も表示されている。
【００６７】
利用者は、図９に示すメディアの挿入ガイダンス画面において、入力メディアを正しい挿入口および正しい方向に挿入したことを確認し、「ＯＫ」ボタン１０１を押下することで、次の画像出力サービス案内画面へと進むことができる。また利用者は、「プリントをやめる」ボタン１０２を押下することで、図５に示した待ち受け画面に戻り、選択した入力メディアを間違えた場合に「前の画面に戻る」ボタン１０３を押下することで、図７に示したメディア選択画面に戻ることができる。
【００６８】
図３の説明に戻る。ステップＳ１２において、画像出力受付端末１の制御部３１は、利用者により、入力メディアが挿入され、図９に示したメディアの挿入ガイダンス画面で「ＯＫ」ボタン１０１が押下されたか否かを判定し、未だそれらの操作がなされていないと判定した場合、ステップＳ１３に進む。
【００６９】
ステップＳ１３において、画像出力受付端末１の制御部３１は、利用者によりキャンセルされたか否か、すなわち、図９に示したメディアの挿入ガイダンス画面で「プリントをやめる」ボタン１０２が押下されたか否かを判定し、キャンセルされていないと判定した場合、ステップＳ１２に戻る。一方、画像出力受付端末１の制御部３１は、利用者によりキャンセルされたと判定した場合、ステップＳ１に戻り、図５に示した待ち受け画面を再び表示する。なお、図示を省略したが、「前の画面に戻る」ボタン１０３が押下された場合には、ステップＳ５に戻り、図７に示したメディア選択画面を再び表示させ、上述した処理が繰り返される。
【００７０】
ステップＳ１２において、画像出力受付端末１の制御部３１は、入力メディアが挿入されて「ＯＫ」ボタン１０１が押下されたと判定した場合、図４に示すステップＳ１４に進み、タッチパネル付ディスプレイ１１にサービス選択画面を表示する。
【００７１】
図１０は、サービス選択画面の表示例を示す図である。図１０に示すように、サービス選択画面には、「選んでプリント」選択ボタン１１１、「インデックスプリント」選択ボタン１１２、「分割プリント」選択ボタン１１３の３種類の選択ボタンが表示されている。また、サービス選択画面には、注文をキャンセルすることが可能な「注文キャンセル」ボタン１１４も表示されている。
【００７２】
利用者は、図１０に示すサービス選択画面において、利用するサービス内容の選択ボタンを選択（押下）することで、画像出力の実行へと処理を進めることができる。また利用者は、「注文キャンセル」ボタン１１４を押下すると、図５に示した待ち受け画面に戻ることができる。
【００７３】
「選んでプリント」は、利用者が選択した画像データを印刷するサービスである。「インデックスプリント」は、入力メディアに記憶されている画像データのサムネイル画像を１つのページに一覧表示にして印刷するサービスである。「分割プリント」は、１つのページに複数の画像データを印刷するサービスである。
【００７４】
図４の説明に戻る。ステップＳ１５において、画像出力受付端末１の制御部３１は、利用者により、図１０に示したサービス選択画面で所定のサービス内容が選択されたか否かを判定し、所定のサービス内容が選択されていないと判定した場合、ステップＳ１６に進む。
【００７５】
ステップＳ１６において、画像出力受付端末１の制御部３１は、利用者によりキャンセルされたか否か、すなわち、図１０に示したサービス選択画面で「注文キャンセル」ボタン１１４が押下されたか否かを判定し、キャンセルされていないと判定した場合、ステップＳ１５に戻る。一方、画像出力受付端末１の制御部３１は、利用者により「注文キャンセル」ボタン１１４が押下されたと判定した場合、ステップＳ１に戻り、図５に示した待ち受け画面を再び表示する。
【００７６】
ステップＳ１５において、画像出力受付端末１の制御部３１は、所定のサービス内容が選択されたと判定した場合、ステップＳ１７に進み、各種メディア読取部４１によって読み取らせた入力メディアに記憶されている画像データを読み込む。
【００７７】
ステップＳ１８において、画像出力受付端末１の制御部３１は、タッチパネル付ディスプレイ１１に注文画面（不図示）を表示し、利用者に印刷注文する画像データの選択、印刷枚数の指定等を促す。
【００７８】
ステップＳ１９において、画像出力受付端末１の制御部３１は、利用者からの印刷注文に対する代金の合計金額を算出し、タッチパネル付ディスプレイ１１に算出結果（印刷代金）を表示する。
【００７９】
ステップＳ２０において、画像出力受付端末１の制御部３１は、印刷対象の画像データを印刷データに変換し、印刷データを複数のプリンタ４７で印刷させる。印刷されたプリント物は、プリント物取出口１９から排出され、利用者に提供される。
【００８０】
そして、印刷処理終了後、画像出力受付端末１の制御部３１は、図５に示した待ち受け画面を再び表示し、待機状態となる。
【００８１】
図３に示すステップＳ４において、画像出力受付端末１の制御部３１は、利用者により、図６に示した入力方法選択画面で「デジタルメディア」選択ボタン７１以外の選択ボタンが選択（押下）されたと判定した場合、ステップＳ２１に進み、選択された通信手段での通信処理を行う。
【００８２】
例えば、図６に示した入力方法選択画面で「オンラインサイト」選択ボタン７２が選択された場合、ネットワークを介して接続された画像アップロードサーバ（不図示）と通信処理を行う。画像アップロードサーバは、利用者が、過去に入力メディアや携帯端末からネットワークを介してアップロードした画像データを記憶するサーバである。
【００８３】
また例えば、図６に示した入力方法選択画面で「赤外線」選択ボタン７３が選択された場合、携帯電話機などと赤外線通信を行い、「携帯端末」選択ボタン７４が選択された場合、携帯端末と専用ケーブルでの有線通信または無線通信（例えば、Wi-Fi（wireless
fidelity））を行い、「Bluetooth（登録商標）」選択ボタン７５が選択された場合、携帯電話機などとBluetooth（登録商標）通信を行う。
【００８４】
ステップＳ２１の処理の後、ステップＳ１４に進み、画像出力受付端末１の制御部３１は、図１０に示したサービス選択画面を表示させ、上述した処理を繰り返し実行する。
【００８５】
［発明の実施の形態における効果］
１．以上のように、入力メディアや携帯端末などの概観を表わす画像およびそれらの名称を含んだオブジェクトを表示することにより、利用者の操作性を向上させることができる。
【００８６】
２．また、利用者に、種類の多い複数の入力メディアの中から所望の入力メディアを選択させる際、選択中のオブジェクトを他のオブジェクトよりも大きく強調表示することにより、利用者の視認性を向上させることができる。
【００８７】
３．また、選択された所望の入力メディアの正しい挿入口および正しい挿入方向を表示することにより、利用者の誤操作を防止することができる。
【００８８】
４．さらに、いずれの画像出力サービス案内画面においても、容易に注文をキャンセルすることができ、利用者が誤操作した場合にも、容易に待ち受け画面に戻ることができる。従って、安全かつ操作し易い画像出力サービス案内画面を表示することができる。
【００８９】
［変形例］
１．以上においては、図７に示したように、オブジェクトが所定の順序で整列されたメディア選択画面の表示例について説明したが、本発明はこれに限らず、例えば、図１１に示すようなメディア選択画面を表示することも可能である。
【００９０】
図１１のメディア選択画面の表示例の場合、複数の選択ボタンが３次元的にメディア表示エリア１２１に表示されており、選択中の「メディアＨ」選択ボタン１２２が強調表示（表示領域が大きく、かつ、複数の選択ボタンの中心となるように配置）されている。
【００９１】
また、図１１に示すメディア選択画面には、選択ボタンを選択するためのスクロールボタン１２３Ｒ、１２３Ｌ、および、選択を決定するための「決定」ボタン１２４、注文をキャンセルすることが可能な「注文をやめる」ボタン１２５も表示されている。利用者は、スクロールボタン１２３Ｌを押下することで、図中、点線矢印が示す方向に選択ボタンをスクロールさせることができる。
【００９２】
なお、図７または図１１の表示例では、選択中の選択ボタン８２、１２２の表示領域を大きくすることで強調表示しているが、これに限らず、例えば、選択中の選択ボタンのコントラストを高くし、それ以外の他の選択ボタンのコントラストを低くするようにしてもよい。
【００９３】
２．また以上においては、図６に示した入力方法選択画面で、「デジタルメディア」選択ボタン７１が選択された場合、図７に示したメディア選択画面、図８に示した同意画面、図９に示したメディアの挿入ガイダンス画面に順に表示が遷移するようにしたが、本発明はこれに限らず、例えば、図６に示した入力方法選択画面で、「デジタルメディア」選択ボタン７１が選択された場合、直ちに、図１２に示すようなメディアの挿入ガイダンス画面を表示することも可能である。
【００９４】
図１２のメディアの挿入ガイダンス画面の表示例の場合、各メディアの挿入口への誘導およびメディアの正しい挿入方向がそれぞれ動画表示されている。また、図１２に示すメディアの挿入ガイダンス画面には、注文をキャンセルすることが可能な「注文キャンセル」ボタン１３１、および前の画面に戻ることが可能な「戻る」ボタン１３２も表示されている。利用者は、動画を確認しながら、正しい挿入口および正しい挿入方向に入力メディアを挿入することができる。
【００９５】
３．また以上においては、図１０に示したサービス選択画面で、「選んでプリント」選択ボタン１１１、「インデックスプリント」選択ボタン１１２、「分割プリント」選択ボタン１１３の３種類の選択ボタンを表示させるようにしたが、本発明はこれに限らず、「カレンダプリント」、「かんたんプリント」、「ＣＤ／ＤＶＤ書き込み」などのサービスを選択するための選択ボタンを表示させることもできる。
【００９６】
「カレンダプリント」は、利用者が選択した画像データにカレンダを付随して印刷するサービスである。「かんたんプリント」は、利用者が所有する入力メディアや携帯端末内に記憶されている画像データを全て印刷するサービスである。「ＣＤ／ＤＶＤ書き込み」は、利用者が選択した画像データをＣＤ／ＤＶＤに書き込むサービスである。
【００９７】
またこれらのサービスは、図６に示した入力方法選択画面での入力タイプに応じて表示方法を変更するようにしてもよい。
【００９８】
４．また以上においては、図８に示した同意画面を図３に示したフローチャートのステップＳ８で表示させるようにしたが、本発明はこれに限らず、例えば、図５に示した待ち受け画面で「スタート」ボタン６１が押下されたと判定した場合、直ちに、画像出力サービスを受けるにあたっての注意事項が表示された同意画面を表示することも可能である。
【００９９】
このように、同意画面を図３に示したフローチャートのステップＳ２からステップＳ３に進む間で表示するようにしてもよい。
【０１００】
５．また、以上においては、画像出力サービスを受けるにあたっての注意事項が表示された同意画面を単独で表示させるようにしたが、本発明はこれに限らず、例えば、画像出力受付端末１の起動中に表示される各画面（画像出力サービス案内画面）内に画像出力サービスを受けるにあたっての注意事項を併せて表示するようにしてもよい。
【０１０１】
以上、添付図面を参照しながら、本発明に係る画像出力受付端末等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【０１０２】
１………画像出力受付端末
１１………タッチパネル付ディスプレイ
３１………制御部
【図１】
2012058804.tif 000003
【図２】
2012058804.tif 000004
【図３】
2012058804.tif 000005
【図４】
2012058804.tif 000006
【図５】
2012058804.tif 000007
【図６】
2012058804.tif 000008
【図７】
2012058804.tif 000009
【図８】
2012058804.tif 000010
【図９】
2012058804.tif 000011
【図１０】
2012058804.tif 000012
【図１１】
2012058804.tif 000013
【図１２】
2012058804.tif 000014